(57)【特許請求の範囲】
【請求項１】
吸込口と吹出口とが形成された外箱と、
前記外箱の側面に配設され前記外箱を取付面に対し支持する取付板と、
前記外箱に収納され、前記吸込口から前記吹出口へ送風する羽根および前記羽根を駆動する電動機と、
前記外箱の前記取付板が配設される前記側面内に収納され、前記電動機と電気的に接続される接続端子を有する端子台と、
を備え、前記取付面から延びる断面偏平状の電源線をフック状に湾曲されるように前記取付板および前記外箱の側面上を引き回して前記外箱内の前記接続端子に接続する送風機であって、
前記取付板から突出されて傾斜された支持面を有し、前記電源線における前記フック状に湾曲される部位の一部を、前記取付板から浮き上がるように、前記支持面に対し前記電源線の主面が正対するようにクランプする張力抑止部、
を備えることを特徴とする送風機。
【請求項２】
前記外箱の前記取付板が配設される前記側面には、前記接続端子に前記電源線を接続するための穴が形成され、前記電源線は、前記張力抑止部でクランプされた後、該電源線の主面が前記外箱の側面に正対するように前記穴に挿入されることを特徴とする請求項１に記載の送風機。
【請求項３】
前記支持面は、前記取付面側の一端部から他端部に向けて突出高さが徐々に低くなるように傾斜されていることを特徴とする請求項１に記載の送風機。
【請求項４】
前記支持面の傾斜角度は１５度であることを特徴とする請求項３に記載の送風機。
【請求項５】
前記張力抑止部でクランプされた後、前記穴に挿入される前の前記電源線の湾曲された部位の内側に当接して前記電源線を規制する誘導ポールを前記外箱の側面に設けることを特徴とする請求項２に記載の送風機。
【請求項６】
前記湾曲される前の前記取付面から延びる電源線を係止する誘導フックを前記取付板に設けることを特徴とする請求項５に記載の送風機。
【請求項７】
前記電源線は、前記電源線の主面が前記取付板に平行となるように、前記取付板上を引き回されることを特徴とする請求項１から６の何れかに記載に送風機。
【請求項８】
前記電源線は、ＶＶＦケーブルであることを特徴とする請求項１に記載の送風機。
【発明の詳細な説明】
【技術分野】
【０００１】
本発明は、居室内の高所に設置される送風機に関する。
【背景技術】
【０００２】
従来、例えばダクト用換気扇において、下面が開口し天井の取付用開口部に挿入状態で配設される外箱内に、電動機及びこの電動機により駆動されるファンを設けると共に、そのファンを囲繞するようにプラスティック製のファンケーシングを設けるものにおいて、そのファンケーシングの外周部に下面に開口部を有する電装品収納部を一体成形すると共に、モータのリード線を電源線に接続するための接続部を有した接続端子を上記電装品収納部にその接続部が上記開口部を臨む状態で収納し、また、上記電装品収納部にこれの下面開口部を開閉する蓋を回動可能に連結して設け、この蓋に、該蓋の開放状態で電装品収納部の開口部に下方から臨んで接続端子を受け止める凸部を設ける構成が知られている。
【０００３】
この構成によれば、接続端子に対する電源線の接続及び取り外しを室内側から行うことが出来ることにより、作業性が向上する。加えて、電装品収納部の開口部を開閉する蓋の内側に凸部を設けることで、蓋を開放しても接続端子が脱落することなく、電源線の接続、取り外し及び挿入確認の各作業を一層容易に行うことが可能となる。さらには、接続端子は凸部により制限されて所定以上引き出されることがないので、接続端子が接続されたモータのリード線に過大な張力がかかることなく、断線などの不具合を削減することができる（例えば、特許文献１参照）。
【先行技術文献】
【特許文献】
【０００４】
【特許文献１】実用新案登録第２５３８００３号公報
【発明の概要】
【発明が解決しようとする課題】
【０００５】
上記従来の技術によれば、接続端子に対する電源線の取り付け及び取り外しは、外箱の下面の開口部を介して室内側から行うことができる。しかしながら、接続端子は開口部の内側にあって手が入りづらいので作業性が悪く改善が望まれていた。さらに上記従来の技術によれば、接続端子がそれ自体の自重で自由落下する危険性があると共に、接続端子に対する電源線の接続時、接続端子が固定されていないので、電源線を電源端子に差込む場合、接続端子が、奥側に退いてしまい電源線の接続施工が難しいという問題があった。このようにして、電源線の電気的接触が不十分になると安全上問題となるばかりか、ひいては火災の原因になることもあり、改善が望まれていた。さらには、電源線として、ＶＶＦケーブルを使用すると、内蔵の銅線が太く硬いため電源接続施工時に急激に曲げると折れてしまい接触不良を招く問題もあった。
【０００６】
本発明は、上記に鑑みてなされたものであって、接続端子に対する電源線の取り付け作業を容易とするとともに防火安全対策を十分なものとすることができる送風機を得ることを目的とする。
【課題を解決するための手段】
【０００７】
上述した課題を解決し、目的を達成するために、本発明は、吸込口と吹出口とが形成された外箱と、外箱の側部に配設され天井面或いは壁面から外箱を支持する取付板と、外箱に収納され吸込口から吹出口へ送風する羽根および羽根を駆動する電動機と、電動機に電力を供給する電源線を電動機と電気的に接続する接続端子を有する端子台と、外箱の側面に設けられ電源線を狭持することにより電源線に働く張力が接続端子或いは接続端子と電源線との接続箇所に及ばないようにする張力抑止部とを備え、張力抑止部の電源線を狭持する支持面が、断面偏平状の電源線が湾曲しやすくなる方向に傾斜していることを特徴とする。
【発明の効果】
【０００８】
本発明によれば、電源線が天井側に引っ張られたときに、その張力が端子台或いは端子台と電源線との接続箇所に及ばないようにすることができる。
【図面の簡単な説明】
【０００９】
【図１】図１は、本発明にかかる送風機の実施の形態を示す斜視図である。
【図２】図２は、送風機の吹出口側から見た正面図である。
【図３】図３は、送風機の吸込口側から見た正面図である。
【図４】図４は、送風機の分解斜視図である。
【図５】図５は、送風機端部を側部カバーを透過して見た図である。
【図６】図６は、図５と同じ部分を側部カバーを透過して側方から見た図である。
【図７】図７は、側部カバーを外した送風機端部の斜視図である。
【図８】図８は、電源線の構造と三つ又に分割された端部の様子を示す斜視図である。
【図９】図９は、外箱側面に形成された出入開口から端子台が見える様子を示す正面図である。
【図１０】図１０は、出入開口内の端子台の様子を示す斜視図である。
【図１１】図１１は、端子台が接続作業位置に引き出された様子を示す断面図である。
【図１２】図１２は、端子台が収納位置にある様子を示す断面図である。
【図１３】図１３は、側部カバーを裏面側から見た斜視図である。
【図１４】図１４は、ファンユニットが外箱に組み付けられる様子を示す斜視図である。
【図１５】図１５は、本実施の形態によりネジの数量が削減されたネジ位置を示す模式図である。
【図１６】図１６は、比較のために示す従来のファンユニットに使用されていたネジのネジ位置を示す模式図である。
【図１７】図１７は、図１４の図中Ｇ位置において、隣り合う２つのファンユニットが１本のネジにより共締めされる様子を示す概略図である。
【図１８】図１８は、図１７における第１オリフィス部材と第２オリフィス部材のみの斜視図である。
【図１９】図１９は、図１４に示されたファンユニットの端部を拡大して示す斜視図である。
【発明を実施するための形態】
【００１０】
以下に、本発明にかかる送風機の実施の形態を図面に基づいて詳細に説明する。なお、この実施の形態によりこの発明が限定されるものではない。
【００１１】
実施の形態．
図１は、本発明にかかる送風機の実施の形態を示す斜視図、図２は、送風機の吹出口側から見た正面図、図３は、送風機の吸込口側から見た正面図である。送風機１００は、外殻を構成する長尺立方体箱状の外箱１を有している。外箱１の対向する２面に吹出口２と吸込口３とが形成されている。吹出口２は上下２段に形成され、図１に矢印Ａで示すように、その各々から空気を吹き出す。外箱１は両端部に設けられた取付板７により例えば天井から吊り下げられるように設置される。本実施の形態においては、図示しない天井面に下方に向かって立設された一対の取付板７が、外箱１の両端部を回動自在に軸支しており、これにより、図１に矢印Ｂで示すように外箱１が回動して風向きが変えられる。取付板７は、側部カバー８により覆われている。なお、送風機１００は、天井面に限らず垂直な壁面などに設置されてもよい。
【００１２】
図４は、送風機の分解斜視図である。外箱１内には、風路形成部材としてオリフィス部材３６とエアーガイド部材３７が収納されている。オリフィス部材３６とエアーガイド部材３７は、外箱１内に吸込口３から吹出口２に至る風路を形成している。エアーガイド部材３７は、風路を上下に２分割する。風路は、外箱１の長手方向に並んで８個が形成されている。個々の風路に対応して、吸込口３から吹出口２へ空気を移動させるファン４と、このファン４を駆動する電動機５とが配設されている。風路形成部材であるオリフィス部材３６とエアーガイド部材３７は、２組のファン４及び電動機５を単位として分割されている。すなわち、２組のファン４及び電動機５と、これに対応するオリフィス部材３６及びエアーガイド部材３７とが、１つのファンユニット４０を構成している。そして、外箱１内には、長手方向に並んで４個のファンユニット４０が収納されている。
【００１３】
長手方向に並ぶ４個のファンユニット４０の吸込口側には、ファン４を保護する目的でガード３８が設けられているが、ガード３８は連続する一枚の部材となっている。また、取付板７にて支持される際に回動軸中心となる支持ボルト１２が外箱１の側面１ａに立設している。外箱１の長手方向両端には、概略断面Ｌ字型の取付板７とこの取付板７を覆う側部カバー８が設けられている。側部カバー８の大きさは、幅が８０〜１５０ｍｍ、厚さが１０〜７０ｍｍである。
【００１４】
図５は、送風機端部を側部カバー８を透過して見た図、図６は、図５と同じ部分を側部カバー８を透過して側方から見た図である。図７は、側部カバー８を外した送風機端部の斜視図、図８は、電源線の構造と三つ又に分割された端部の様子を示す斜視図である。取付板７は概略断面Ｌ字状を成し、天井面９に沿う締結部７ｂとこの締結部７ｂから直角に折れ曲がって下方に延びる本体部７ａとから構成されている。本実施の形態の取付板７は、天井面９から下方に延びる吊りボルト１５に締結部７ｂをナット１６にて締結されて天井面９に固定されている。
【００１５】
取付板７は、本体部７ａの下端部に穿孔された貫通穴に支持ボルト１２を通して外箱１を回動可能に軸支している。本体部７ａには、複数の角度調整穴７ｃが１１．２５度ピッチで円弧上に穿孔されており、いずれか１つを選択して角度調整ボルト１４を止めることにより、図５に示す水平状態から吹出口２を鉛直下に向ける９０度回動した位置と、逆に吹出口２を２２．５度だけ上に向ける位置との間で角度を変えて設置できるようになっている。
【００１６】
電動機５に電力を供給する電源線１７が、天井側から延びて側部カバー８内を引き回されたのち外箱１内に挿入されている。電源線１７は、図８に示すような３芯のＶＶＦケーブルであり、３本の電線１７ａが横に並び被覆１７ｂに覆われた断面偏平状を成すが、非常に剛性が高く、主面１７ｃを含む平面内で湾曲（主面１７ｃを湾曲させずに側方に湾曲）させようとしてもその方向には曲げ難い。そのため、電源線１７は、主面１７ｃを湾曲させる方向に曲げるか、またはそれに近い方向に曲げる。そして安全性を考慮して、ＶＶＦケーブルの電源線を曲げる場合には、電源線を破損することがないように、屈曲部の内側の半径が電源線の外径の６倍以上とするように電気設備に関する技術基準によって規定されている。
【００１７】
図７に示すように、電源線１７は、天井側から側部カバー８内に入り、誘導フック２６を通過の後、外箱１の側面１ａに沿って下方に延び、円弧を下方に向けてフック型に大きく湾曲するとともに、外箱１から離れるように一旦浮き上がり、張力抑止部２０を通ったのち反転して、誘導ポール１９に接触しつつ外箱１側にひねりながら向きを変え、側面１ａに固定された端子台カバー１８の中央穴１８ａを通って外箱１内部に延びている。端子台カバー１８奥の外箱１内の空間に図示しない端子台が収納されており、電源線１７はこの端子台を介して電動機５のリード線と電気的に接続される。なお、端子台カバー１８は、ネジ２５ａにより側面１ａに固定され、電源線１７の端子台への接続作業時には取り外される。
【００１８】
張力抑止部２０は、例えば電源線１７が天井側に引っ張られたときに、その張力が端子台或いは端子台と電源線１７との接続箇所に及ばないようにするためのものであり、支持ボルト１２に取付板７とともにナット１３で共締めされて固定され、上部に設けられたコードクリップ２１で電源線１７を狭時する。コードクリップ２１は、一端を張力抑止部２０に係合させ、他端を張力抑止部２０にネジ２５ｂにてネジ結合され、張力抑止部２０との間に電源線１７を挟みネジ２５ｂにて締め付けることにより、電源線１７を強くクランプする。張力抑止部２０は、電源線１７がフック型に大きく湾曲する途中に設けられているが、張力抑止部２０がコードクリップ２１にて電源線１７を支持する支持面２０ａは、断面偏平状の電源線１７が湾曲しやすくなる方向に傾斜している。すなわち、本実施の形態においては、外箱１の側面１ａに対して電源線１７の曲率半径方向外側に向けて起き上がるように１５度傾斜している（図６）。
【００１９】
誘導フック２６及び誘導ポール１９は、外箱１の側面１ａにて電源線１７が所定の経路から大きく外れることなく引き回わされるように、電源線１７の通過する位置を矯正している。つまり、誘導フック２６と誘導ポール１９は、電源線１７が外箱１の側面１ａにて所定の経路で引き回わされるように電源線１７に接触して位置を矯正する位置決め部材を構成している。両者のうち特に誘導ポール１９は、端子台カバー１８と張力抑止部２０との間で電源線１７が湾曲する際の反力を受け、この誘導ポール１９がないと電源線１７が所定の形状に屈曲せず、本実施の形態の構造においては無くてはならない部材である。
【００２０】
図９は、端子台カバー１８が外されて、外箱１の側面１ａに形成された出入開口から端子台が見える様子を示す正面図、図１０は、出入開口内の端子台の様子を示す斜視図、図１１は、端子台が接続作業位置に引き出された様子を示す断面図、図１２は、端子台が収納位置にある様子を示す断面図である。外箱１の端部空間に端子台１１が収納されている。端子台１１は上面に搭載した速結端子（接続端子）１０を含んで構成されている。
【００２１】
速結端子１０は、電源線１７の３本の電線１７ａがそれぞれ挿入される３つの挿入口１０ａを有している。３つの挿入口１０ａは、速結端子１０の出入開口１ｂに臨む面に開口し後述するスライド方向に延びている。速結端子１０は、電線１７ａを挿入口１０ａから矢印Ｆ方向（図１１）に差し入れると図示しない内部のくわえ込み構造が動作して、これにより電線１７ａが狭持されて、その後電線１７ａを引き抜く方向に力を加えても引き抜けないという構造のものである。
【００２２】
外箱１の端部空間にスライド台座２４が設けられている。端子台１１は、スライド台座２４上に形成されたスライド面２４ａ上に載置され、スライド可能となっている。詳細には、端子台１１は、外箱１に形成された出入開口１ｂから、速結端子１０前側の挿入口１０ａを含む一部を出現させる接続作業位置Ｄ（図１１）と、外箱１内に全体が収納される収納位置Ｅ（図１２）との間をスライド可能とされている。そして、スライド台座２４のスライド面２４ａは、出入開口１ｂが形成された外箱１の側壁（側面１ａを形成する外箱１の壁）に対して傾斜している。スライド面２４ａの傾斜は、電源線１７が曲がらなくてはならない角度を小さくする方向（電源線１７の曲がる角度が大きくなる、つまり直線に近づく方向）に傾斜し、その傾斜の大きさは、端子台１１を外箱１内に収納する構造と、端子台１１の出没動作と、接続作業の行い安さとを考慮して最適な角度になっている。本実施の形態の場合、スライド面２４ａの傾斜は、例えば送風機１００が水平に設置された場合に、出入開口１ｂから奥に向かって上るように約３０度の傾斜である。
【００２３】
端子台１１は、例えば平板部材を折り曲げることにより作製され、中央部主面上に速結端子１０を搭載している。そして、端子台１１のスライド方向前側は、二股に分割されて先端部がそれぞれ段状に折り曲げられて取っ手部１１ａとなっている。また、端子台１１のスライド方向後側は、速結端子１０を超える高さまで折り曲げられて立ち上がり部１１ｂが形成されている。そしてさらに、端子台１１が接続作業位置Ｄに有るときに、端子台１１の立ち上がり部１１ｂと係合して端子台１１を接続作業位置Ｄに保持する段部（ストッパ）２４ｃが、速結端子１０の上方に設けられている。
【００２４】
電源接続施工時においては、電源施工者は、端子台カバー１８を外したのち、取っ手部１１ａをつかみ端子台１１を接続作業位置Ｄまで引き出す。次いでこの位置で、取っ手部１１ａをつかみ下方へ引き下げると、端子台１１が、支点２４ｂを中心として回動する。そして、立ち上がり部１１ｂが上がり、段部（ストッパ）２４ｃに係合して保持される。これにより、電線１７ａを速結端子１０に挿入するとき、速結端子１０が退いてしまうことがなく、良好に電源線１７の接続作業が行われる。接続作業を終えると、上記と逆の手順により、取っ手部１１ａを上方に引き上げて段部２４ｃとの係合を外し、収納位置Ｅに押し込んで端子台カバー１８にて蓋をする。なお、本実施の形態において、段部（ストッパ）２４ｃは、速結端子１０の上方に設けられているが、これに限らず例えばスライド面２４ａ奥側に段部として形成して、取っ手部１１ａを上方に引き上げることにより、端子台１１後端を係合させるようなものであってもよい。なお、端子台１１を引き出す際、端子台１１全体が引き抜けてしまうことを防止する構造としては、端子台１１の中間部より後方の部分の幅を出入開口１ｂの幅より大きくすることにより実現している。
【００２５】
このように、本実施の形態の送風機１００によれば、端子台１１が外箱１の側面１ａに形成された出入開口１ｂから出没するので、電源線１７を接続する際には、接続作業位置Ｄに引き出して作業性を良くするとともに、接続終了後には収納位置Ｅに収納して防火安全対策を十分なものとすることができる。また、端子台１１が接続作業位置Ｄに有るときに、端子台１１と係合して、端子台１１が収納位置Ｅ側に退くことを防止する段部（ストッパ）２４ｃが設けられているので、ＶＶＦケーブルのような剛性の大きいケーブルであっても、速結端子１０に挿入するとき、速結端子１０が退いてしまうことがなく、良好に電源線１７の接続作業を行うことができる。さらに、端子台１１のスライド方向前側に取っ手部１１ａが設けられているので、端子台１１を引き出しやすい。さらにまた、スライド台座２４のスライド面２４ａは、出入開口１ｂが形成された外箱１の側面１ａに対して傾斜しているので、外箱１内に長手方向に必要とする空間を小さくして小型化を図ることができるとともに、電源線１７が曲がらなくてはならない角度を小さくする。
【００２６】
側部カバー８の固定方法について記載する。図１３は、側部カバー８を裏面側から見た斜視図である。外箱１の両端部には、意匠性を考慮して、それぞれ側部カバー８が設けられている。側部カバー８は、裏面下部に立設する円筒状の挿入ガイド８ｂに、外箱１に立設する支持ボルト１２（図５，６）を挿入させ、これをガイドとして外箱１に向けて平行に移動し、裏面上部に立設された弾力性を持つ係合突起８ａを、取付板７上部に形成された係合穴７ｄ（図５，７）に押し込んでくわえ込ませ、さらに短手方向両側部に設けた一対の磁石２９により取付板７を吸着して取り付けられている。
【００２７】
従来、一般的な機器の意匠性カバー取り付け方法にあっては、磁石によるものも提案されている。磁石の吸着力によりカバーを固定するので、ネジ止め等が必要なく、取り付け取り外しは容易なものとなる。しかしながら、経年変化により磁石の吸着力が劣化した場合に、この吸着が外れカバーが脱落してしまう心配があった。
【００２８】
本実施の形態においては、上記のような構造とすることで、取り付けネジを不要とするとともに、取り付け取り外し工程を容易なものとして作業性を高めている。また、係合突起８ａ及び挿入ガイド８ｂによるスライド押し込み構造と一対の磁石２９を併用したことにより、万一、磁石２９の吸着が外れても、スライド押し込み構造により側部カバー８が落下することがなく、逆に係合突起８ａや挿入ガイド８ｂが外れたり破損したりしても、磁石２９により側部カバー８が落下することがない。なお、側部カバー８の側部には、取り外し方向が容易に分かるように、その方向を示す印（矢印）３１が刻印されている（図７）。
【００２９】
次に、ファンユニット４０の外箱１への固定方法について説明する。本実施の形態の固定方法においては、使用するネジの数量を大幅に削減する。図１４は、ファンユニット４０が外箱１に組み付けられる様子を示す斜視図、図１５は、本実施の形態によりネジの数量が削減されたネジ位置を示す模式図である。図１６は、比較のために示す従来のファンユニットに使用されていたネジのネジ位置を示す模式図である。図１７は、図１４の図中Ｇ位置において、隣り合う２つのファンユニットが１本のネジにより共締めされる様子を示す概略図である。図１８は、図１７における第１オリフィス部材と第２オリフィス部材のみの斜視図である。図１９は、図１４に示されたファンユニットの端部を拡大して示す斜視図である。
【００３０】
ファンユニット４０は、冒頭でも述べたように、２組のファン４及び電動機５と、これに対応する大きさのオリフィス部材３６及びエアーガイド部材３７とによって、１つのファンユニット４０が構成されている。そして外箱１内には、長手方向に並ぶように４個のファンユニット４０が収納されている。４個のファンユニット４０は、それぞれネジ２５ｃとネジ２５ｄにより外箱１に締結されている。ネジ２５ｃは、各ファンユニット４０の両端上部角部を外箱１に締結する。一方、ネジ２５ｄは、各ファンユニット４０の中央下部を外箱１に締結する（図１４、図１５）。なお、図１４においては、１本のネジ２５ｃと１本のネジ２５ｄのみを記載し他のネジは省略している。
【００３１】
図１６に示すように、従来１組のファン４及び電動機と、これに対応する大きさのオリフィス部材及びエアーガイド部材とで１つのファンユニットが構成されていた。締結用のネジ２５は、各角部に１個計４個が１個のファンユニットに設けられていた。そのため、装備するファンユニットの数量が増えると締結用のネジ２５の数は、膨大なものとなっていた。これと比較して明らかなように、本実施の形態のファンユニット４０の固定方法においては、使用するネジの数量を大幅に削減する。以下これについて説明する。
【００３２】
ここでは、隣り合う２つのファンユニット４０を、仮に第１ファンユニット４０Ａ及び第２ファンユニット４０Ｂとして説明する。第１ファンユニット４０Ａと第２ファンユニット４０Ｂのオリフィス部材である第１オリフィス部材３６Ａと第２オリフィス部材３６Ｂの互いに対向する端部の上部角部（図１４中Ｇの部分）には、円筒状のネジ穴が軸に沿って２片に分割されたような形状の分割ネジ穴片４７Ａ，４７Ｂがそれぞれ設けられている。分割ネジ穴片４７Ａ，４７Ｂの外周側には、リブ３９が形成されている。分割ネジ穴片４７Ａ，４７Ｂは、相互に突き合わされて円筒状のネジ穴を形成する。また、この角部の裏面には、外箱１側に突出する突起４６Ａ，４６Ｂがそれぞれ設けられている。一方、これに対応する外箱１の開口縁部においては、分割ネジ穴片４７Ａ，４７Ｂが形成するネジ穴の位置に雌ねじ穴４２が螺刻され、突起４６Ａの位置に貫通穴３３が開口され、突起４６Ｂの位置に長穴３４が開口されている。
【００３３】
貫通穴３３と長穴３４とは、それぞれ突起４６Ａ，４６Ｂと係合する。これにより、第１オリフィス部材３６Ａと第２オリフィス部材３６Ｂとが離間することが規制される。この状態にて、分割ネジ穴片４７Ａ，４７Ｂが形成するネジ穴に挿入された１本のネジ２５ｃにより、第１オリフィス部材３６Ａと第２オリフィス部材３６Ｂとが共締めされる。突起４６Ｂに対応する穴が長穴なのは、オリフィス部材３６の成形精度や組立誤差を考慮してのものである。なお、貫通穴３３と長穴３４、及び突起４６Ａ，４６Ｂが構成する係合・被係合の構造に関しては、オリフィス部材３６Ａ，３６Ｂ側に穴が開口されて外箱１側に突起が設けられてもよい。
【００３４】
オリフィス部材３６とエアーガイド部材３７との結合に関しては、図１９に示すように、オリフィス部材３６の上面からエアーガイド部材３７方向に延びる延出部の先端に形成された係合穴３５がエアーガイド部材３７の上面に形成された係合凸部４３に係合することにより行われる。この係合穴３５と係合凸部４３の係合構造は、オリフィス部材３６とエアーガイド部材３７の裏面側にも同様に設けられている。このようにオリフィス部材３６とエアーガイド部材３７とが結合されて、ファンユニット４０が組み立てられる。
【００３５】
エアーガイド部材３７の上部と下部には風路を形成する勘合壁３７ａ，３７ａが対を成して設けられている。一方、オリフィス部材３６の上部と下部にも風路を形成する勘合壁３６ａ，３６ａが対を成して設けられている。両勘合壁３６ａ，３６ａ及び勘合壁３７ａ，３７ａは、互いに一部を重ね合わせ吸込口３から吹出口２へ至る風路を形成する。つまり、吸込口３からファン４により吸い込まれた空気は、その後、オリフィス部材３６とエアーガイド部材３７とにより、装置の上下に分岐して、２段となっている吹出口２から吹き出す（図１）。
【００３６】
ガード３８とオリフィス部材３６（ファンユニット４０）との結合に関しては、図１９に示すように、ガード３８の上角部からオリフィス部材３６に向かって延びる突出部が設けられており、この突出部の先端に形成された係合爪４５が、オリフィス部材３６の対向面上角部に形成された係合穴４１に係合することにより行われる。この係合爪４５と係合穴４１の係合構造は、ガード３８とオリフィス部材３６の対向面の他の３つの角部にも同様に設けられている。このようにして結合されたガード３８とオリフィス部材３６（ファンユニット４０）とがネジ２５ｄにより、外箱１に締結される（図１４）。
【産業上の利用可能性】
【００３７】
以上のように、本発明にかかる送風機は、居室内の高所に設置される送風機に適用されて有用なものであり、特に、接続端子が速結端子の送風機に最適なものである。
【符号の説明】
【００３８】
１  外箱、１ａ  側面、１ｂ  出入開口、２  吹出口、３  吸込口、４  ファン、５  電動機、７  取付板、７ａ  本体部、７ｂ  締結部、７ｃ  角度調整穴、７ｄ  係合穴（嵌合構造）、８  側部カバー、８ａ  係合突起（嵌合構造）、８ｂ  挿入ガイド（案内構造）、９  天井面、１０  速結端子（接続端子）、１０ａ  挿入口、１１  端子台、１１ａ  取っ手部、１１ｂ  立ち上がり部、１２  支持ボルト、１３  ナット、１４  角度調整ボルト、１５  吊りボルト、１６  ナット、１７  電源線、１７ａ  電線、１７ｂ  被覆、１７ｃ  主面、１８  端子台カバー、１８ａ  中央穴、１９  誘導ポール（電線位置決め部材）、２０  張力抑止部、２０ａ  支持面、２１  コードクリップ、２４  スライド台座、２４ａ  スライド面、２４ｂ  支点、２４ｃ  段部（ストッパ）、２５ａ〜２５ｄ  ネジ、２６  誘導フック（電線位置決め部材）、２９  磁石、３１  印、３３  貫通穴、３４  長穴、３５  係合穴、３６，３６Ａ，３６Ｂ  オリフィス部材、３６ａ  勘合壁、３７  エアーガイド部材、３７ａ  勘合壁、３８  ガード、３９  リブ、４０，４０Ａ，４０Ｂ  ファンユニット、４１  係合穴、４２  雌ねじ穴、４３  係合凸部、４５  係合爪、４６Ａ，４６Ｂ  突起、４７Ａ，４７Ｂ  分割ネジ穴片、１００  送風機。
【図１】
0005638665.tif 000002
【図２】
0005638665.tif 000003
【図３】
0005638665.tif 000004
【図４】
0005638665.tif 000005
【図５】
0005638665.tif 000006
【図６】
0005638665.tif 000007
【図７】
0005638665.tif 000008
【図８】
0005638665.tif 000009
【図９】
0005638665.tif 000010
【図１０】
0005638665.tif 000011
【図１１】
0005638665.tif 000012
【図１２】
0005638665.tif 000013
【図１３】
0005638665.tif 000014
【図１４】
0005638665.tif 000015
【図１５】
0005638665.tif 000016
【図１６】
0005638665.tif 000017
【図１７】
0005638665.tif 000018
【図１８】
0005638665.tif 000019
【図１９】
0005638665.tif 000020